(57)【要約】      （修正有）【課題】頭髪のケアを促進可能なヘアードライヤーを提供する。【解決手段】筐体１及びファン１３を含み、筐体１に吸気口１ｄ及び送風口１ｅが設けられ、ファン１３と送風口１ｅの間に発熱体が設けられるヘアードライヤーであって、発熱体は赤外線発熱ランプ５であり、赤外線発熱ランプ５は雲母フレーム６を介して筐体１の内腔に収容され、赤外線発熱ランプ５の回路に温風スイッチ１４が接続される。【選択図】図１
0003214824.tif 000002
【実用新案登録請求の範囲】
【請求項１】
筐体（１）及びファン（１３）を含み、前記筐体（１）に吸気口（１ｄ）及び送風口（１ｅ）が設けられ、前記ファン（１３）と送風口（１ｅ）の間に発熱体が設けられるヘアードライヤーであって、
前記発熱体は赤外線発熱ランプ（５）であり、
前記赤外線発熱ランプ（５）は雲母フレーム（６）を介して筐体（１）の内腔に収容され、
前記赤外線発熱ランプ（５）の回路に温風スイッチ（１４）が接続されることを特徴とするヘアードライヤー。
【請求項２】
前記筐体（１）は、前筒（１ａ）、後筒（１ｂ）及び後カバー（１ｃ）を含み、
前記前筒（１ａ）と後筒（１ｂ）が係合して内腔を形成し、
前記前筒（１ａ）の頭部には送風口（１ｅ）が開設されており、
前記後カバー（１ｃ）は後筒（１ｂ）の後部に接続されており、且つ、後カバー（１ｃ）には吸気口（１ｄ）が開設されていることを特徴とする請求項１記載のヘアードライヤー。
【請求項３】
嵌設片（２）及び排気リング（３）を備えた中空の内筒（４）を前筒（１ａ）と後筒（１ｂ）の内部に装備し、
前記内筒（４）は筐体（１）の内腔に係設され、内筒（４）の頭部と前筒（１ａ）の内壁が間隔を置いて配置され、
前記排気リング（３）は内筒（４）の頭部に装着され、
前記嵌設片（２）は、内筒（４）の頭部と前筒（１ａ）の頭部の間に係設されることを特徴とする請求項１記載のヘアードライヤー。
【請求項４】
更に、ハニカムセラミックス（７）及び降圧発熱線（９）を含み、
前記赤外線発熱ランプ（５）と降圧発熱線（９）は雲母フレーム（６）に固定され、
前記赤外線発熱ランプ（５）は降圧発熱線（９）の回路に接続され、
前記降圧発熱線（９）は温風スイッチ（１４）の回路に接続されることを特徴とする請求項１記載のヘアードライヤー。
【請求項５】
前記雲母フレーム（６）は、径方向に設けられる一組の平板からなることを特徴とする請求項４記載のヘアードライヤー。
【請求項６】
更に、ゴムパッド（１０）、モーター（１１）及びモーターフレーム（１２）を含み、
前記モーター（１１）はモーターフレーム（１２）を介して筐体（１）の内壁に固定され、
前記モーター（１１）の一端はファン（１３）に接続され、他端はゴムパッド（１０）に接続されることを特徴とする請求項１記載のヘアードライヤー。
【請求項７】
更に、冷風ボタン（１５）、冷風スイッチ（１６）及び電源スイッチ（１７）を含み、
前記筐体（１）には持ち手が設けられ、前記冷風ボタン（１５）、冷風スイッチ（１６）及び電源スイッチ（１７）が筐体（１）の持ち手に取り付けられ、冷風ボタン（１５）と冷風スイッチ（１６）の回路が接続されることを特徴とする請求項１記載のヘアードライヤー。
【考案の詳細な説明】
【技術分野】
【０００１】
本考案はヘアードライヤーに関し、より詳しくは赤外線を効率的に発生させることが可能なヘアードライヤーに関する。
【背景技術】
【０００２】
現在広く使用されているヘアードライヤーは、筐体、モーター、ファン、加熱部、絶縁フレーム、電源スイッチ及び電線等から主に構成されている。このうち、加熱部はニッケルクロム電熱線、鉄クロム電熱線あるいはニクロム線などから成るヒーターが用いられている。
【０００３】
上記ヒーターは螺旋状に絶縁フレームに巻回されるが、係る構造では大量の電磁波が発生してしまう。また、従来例のような電熱線を用いたヒーターは熱効率が低く、エネルギー消費が大きいほか、容易に断裂する等の欠点がある。
【０００４】
また、昨今、付加的機能として赤外線放射機能を備えるヘアードライヤーが種々販売されている。赤外線のうち特に波長の長い赤外線には対象物を内部から暖める作用があることが知られており、この作用をヘアードライヤーに応用することで毛髪や頭皮を内部から乾かし、熱風によるダメージから保護することが期待されている。
【０００５】
特許文献１には、マイナスイオン発生部と赤外線発生部を備えることで頭髪をケアする機能を備えたヘアードライヤーが開示されている。特許文献２には、赤外線ヒーターを備えることで赤外線を放出可能とし、頭髪のケアを図るヘアードライヤーが開示されている。
【先行技術文献】
【特許文献】
【０００６】
【特許文献１】特開２０１７−１０８７８６号公報
【特許文献２】特開２０１４−２３３５０８号公報
【考案の開示】
【考案が解決しようとする課題】
【０００７】
本考案は、上述した電熱線を用いたヒーターの欠点や瑕疵の解消を図るのみならず、頭髪のケアを促進可能なヘアードライヤーを提供することを目的とする。
【課題を解決するための手段】
【０００８】
上記課題を解決する本考案の構成は、以下の通りである。
【０００９】
請求項１に記載の考案は、筐体及びファンを含み、前記筐体には吸気口及び送風口が設けられ、前記ファンと送風口の間に発熱体が設けられるヘアードライヤーであって、前記発熱体は赤外線発熱ランプであり、前記赤外線発熱ランプは雲母フレームを介して筐体の内腔に収容され、前記赤外線発熱ランプの回路に温風スイッチが接続されることを特徴とする。
【００１０】
請求項２に記載の考案は、前記筐体は、前筒、後筒及び後カバーを含み、前記前筒と後筒が係合して内腔を形成し、前記前筒の頭部には送風口が開設されており、前記後カバーは後筒の後部に接続されており、且つ、後カバーには吸気口が開設されている。
【００１１】
請求項３に記載のヘアードライヤーは、更に、嵌設片（２）及び排気リング（３）を備えた中空の内筒（４）を前筒（１ａ）と後筒（１ｂ）の内部に装備し、前記内筒（４）は筐体（１）の内腔に係設され、内筒（４）の頭部と前筒（１ａ）の内壁が間隔を置いて配置され、前記排気リング（３）は内筒（４）の頭部に装着され、
前記嵌設片（２）は、内筒（４）の頭部と前筒（１ａ）の頭部の間に係設される。
【００１２】
請求項４に記載の考案は、更に、ハニカムセラミックス及び降圧発熱線を含み、前記赤外線発熱ランプと降圧発熱線は雲母フレームに固定され、前記赤外線発熱ランプは降圧発熱線の回路に接続され、前記降圧発熱線は温風スイッチの回路に接続される。
【００１３】
請求項５に記載の考案は、前記雲母フレームは径方向に設けられる一組の平板からなり、平板はそれぞれ雲母フレームの中軸に接続される。
【００１４】
請求項６に記載の考案は、更に、ゴムパッド、モーター及びモーターフレームを含み、前記モーターはモーターフレームを介して筐体の内壁に固定され、前記モーターの一端はファンに接続され、他端はゴムパッドに接続される。
【００１５】
請求項７に記載の考案は、更に、冷風ボタン、冷風スイッチ及び電源スイッチを含み、前記筐体には持ち手が設けられ、前記冷風ボタン、冷風スイッチ及び電源スイッチが筐体の持ち手に取り付けられ、冷風ボタンと冷風スイッチの回路が接続される。
【考案の効果】
【００１６】
本考案に係るヘアードライヤーには次のような利点がある。
【００１７】
１．本ヘアードライヤーの赤外線ランプは通電により発熱し、モーターでファンを回転させることで、全ての熱を風として送風口から送り出す。
【００１８】
また、従来例に係るヘアードライヤーのように電熱線を使用していないことから、電熱線を用いたヒーターの欠点の解消も可能となる。
【００１９】
また、赤外線発熱ランプには高効率のハロゲンランプ技術を用いており、頭皮の血行を促進し、もって抜け毛を予防し、また毛髪の艶を増すという効果も有する。
【００２０】
２．ハニカムセラミックスは赤外線発熱ランプと送風口の間に位置する。ハニカムセラミックス上に均一に分布するハチの巣状の孔により熱エネルギーの均一な分布が確保される一方で、ハニカムセラミックスにより赤外線発熱ランプの熱が吸収された後にも発熱が維持されるため、より効率的な赤外線の照射を行うことが可能となる。
【００２１】
３．雲母フレームは径方向に設けられる一組の平板からなり、平板がそれぞれ雲母フレームの中軸に接続されている。そのため、軸方向に風をスムーズに通すことができ、風抵抗が小さくなる。また、空気の加熱経路が長いため、熱利用率が高まる。
【図面の簡単な説明】
【００２２】
【図１】本考案における透視構造図である。
【図２】本考案の分解図である。
【考案を実施するための形態】
【００２３】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００２４】
本考案に係るヘアードライヤーは、筐体１、嵌設片２、排気リング３、内筒４、赤外線発熱ランプ５、雲母フレーム６、ハニカムセラミックス７、降圧発熱線９、ゴムパッド１０、モーター１１、モーターフレーム１２、ファン１３、温風スイッチ１４、冷風ボタン１５、冷風スイッチ１６及び電源スイッチ１７を含む。
【００２５】
前記筐体１は、前筒１ａ、後筒１ｂ及び後カバー１ｃを含み、前記前筒１ａと後筒１ｂが係合して内腔を形成している。前記前筒１ａの頭部には送風口１ｅが開設されている。前記後カバー１ｃは後筒１ｂの後部に接続されており、且つ、後カバー１ｃには吸気口１ｄが開設されている。
【００２６】
前記内筒４は筐体１の内腔に係設されており、内筒４の頭部と前筒１ａの内壁が間隔を置いて配置される。前記排気リング３は内筒４の頭部に装着されている。前記嵌設片２は、内筒４の頭部と前筒１ａの頭部の間に係設される。
【００２７】
前記赤外線発熱ランプ５は発熱体であり、ファン１３と送風口１ｅの間に位置するとともに、雲母フレーム６を介して筐体１の内腔に収容されている。前記赤外線発熱ランプ５と降圧発熱線９は雲母フレーム６に固定されている。また、前記赤外線発熱ランプ５は降圧発熱線９の回路に接続されており、前記降圧発熱線９は温風スイッチ１４の回路に接続されている。
【００２８】
請求項５に記載の考案では、前記雲母フレーム６は径方向に配置される一組の平板からなる。そのため、雲母フレーム６は赤外線発熱ランプ５と降圧発熱線９を固定するだけでなく、風抵抗が小さく、風を通すにあたり有利となっている。
【００２９】
前記モーター１１は、モーターフレーム１２を介して筐体１の内壁に固定されている。前記モーター１１の一端はファン１３に接続されており、他端はゴムパッド１０に接続されている。ゴムパッド１０はモーター１１と雲母フレーム６の間に設けられ、モーター１１の震動を緩衝する役割を果たす。
【００３０】
前記筐体１には持ち手が設けられ、前記冷風ボタン１５、冷風スイッチ１６及び電源スイッチ１７が筐体１の持ち手に取り付けられている。また、冷風ボタン１５と冷風スイッチ１６の回路が接続されている。
【００３１】
実施例を挙げて本考案につき説明したが、本考案の原理を逸脱しないことを前提に、本装置には若干の変形や改良が可能である。なお、等価の置き換えや等価の変更を用いて得られる技術方案は、いずれも本考案の保護の範囲に含まれる。
【符号の説明】
【００３２】
１・・筐体
１ａ・・前筒
１ｂ・・後筒
１ｃ・・後カバー
１ｄ・・吸気口
１ｅ・・送風口
２・・嵌設片
３・・排気リング
４・・内筒
５・・赤外線発熱ランプ
６・・雲母フレーム
７・・ハニカムセラミックス
９・・降圧発熱線
１０・・ゴムパッド
１１・・モーター
１２・・モーターフレーム
１３・・ファン
１４・・温風スイッチ
１５・・冷風ボタン
１６・・冷風スイッチ
１７・・電源スイッチ
【図１】
0003214824.tif 000003
【図２】
0003214824.tif 000004